(57)【特許請求の範囲】
【請求項１】
数字又は文字情報を点灯表示するＬＥＤ表示装置を備える携帯端末において、
上記ＬＥＤ表示装置は、
上記数字又は文字情報を点灯表示するように配置された複数のＬＥＤと、
上記複数のＬＥＤからの光を通過可能に抜き印刷された透光性シートとを備え、
上記抜き印刷は、上記各ＬＥＤの真上に光を通過する複数の抜き孔を有する透光部をそれぞれ形成するように施され、
上記透光部では、上記ＬＥＤの真上にある中央部の抜き孔の面積は、両端の抜き孔の面積よりも小さく、
上記透光性シートは、該透光性シートと色調が等しくて透光性のあるキャビネットで覆われている
ことを特徴とするＬＥＤ表示装置を備える携帯端末。
【請求項２】
請求項１に記載のＬＥＤ表示装置を備える携帯端末において、
上記透光部は、１つのＬＥＤに対し３乃至５のいずれかの個数の抜き孔を有している
ことを特徴とするＬＥＤ表示装置を備える携帯端末。
【請求項３】
請求項１又は２に記載のＬＥＤ表示装置を備える携帯端末において、
上記抜き孔の形状は、丸形、楕円形、正方形、長方形及び星形からなる群から選択された形状の模様で構成される
ことを特徴とするＬＥＤ表示装置を備える携帯端末。
【請求項４】
請求項３記載のＬＥＤ表示装置を備える携帯端末において、
上記抜き孔はそれぞれ相似形である
ことを特徴とするＬＥＤ表示装置を備える携帯端末。
【発明の詳細な説明】
【技術分野】
【０００１】
数字又は文字情報をＬＥＤ点灯により表示するＬＥＤ表示装置を備えた携帯端末に関する。
【背景技術】
【０００２】
従来より、折畳み式携帯電話機は、折り畳んだときの内面側にメイン表示部を備えると共に、外面側にもサブ表示部を備え、着信があったときに点滅表示したり、発信者の名前を表示したりすることにより、折畳み式携帯電話機を開かなくとも着信があったことや発信者が分かるようになっている。また、サブ表示部は一般的に小さな液晶ディスプレイが搭載され、着信がないときには、日付、時刻の表示がなされている。
【０００３】
ＬＥＤを使用したものとしては、例えば特許文献１では、基板上に多数のＬＥＤを配置して文字等の情報を表示するＬＥＤ表示装置において、表示面を透光性プレートによりカバーし、この透光性プレートを、基板に配置したＬＥＤの発光色と同系色に着色された半透明材で構成している。このことで、透光性プレートが透明なガラス板であるものの欠点である、太陽などからの外来光が外装ケース内へ遮られることなく差し込み、外から透光性プレートを介してＬＥＤ等がはっきりと目で確認でき、比較的近くで表示面を見ると点灯していなくてもＬＥＤをドットとして視認でき、点灯表示される情報の視認性が低下するという問題を解決している。
【０００４】
特許文献２のように、複数の表示用ＬＥＤが配置されてなり、文字・絵・記号等によるメッセージを表示する表示画面を備えたＬＥＤ表示装置が知られている。このＬＥＤ表示装置では、表示パネル全面に、縦横に規則的且つマトリクス状に低輝度のＬＥＤ多色発光球又はＬＥＤ単色発光球を配置し、低輝度ＬＥＤの配列の隙間に規則的且つ表示パネル全面にわたって高輝度のＬＥＤ多色発光球又はＬＥＤ単色発光球を配置し、先ず高輝度のＬＥＤ発光球を点灯又は点滅して視線捕捉のための文字・図形・記号・動画を表示した後、低輝度のＬＥＤ発光球を点灯又は点滅して伝達すべき文字情報を表示することによりアイキャッチ効果を高めることができると共に、高い情報伝達効果を得ることができるようになっている。
【特許文献１】特開平８−２２２５６号公報
【特許文献２】特開２００３−３６０４２号公報
【発明の開示】
【発明が解決しようとする課題】
【０００５】
しかしながら、上述の特許文献１及び特許文献２には多数のＬＥＤが使用されており、コスト面では高価であり、また、電気容量を考慮すると、電池パックを使用した携帯電話機には向かない。
【０００６】
本発明は、かかる点に鑑みてなされたものであり、その目的とするところは、少ないＬＥＤであっても、各抜き孔からの光の量の差を小さくして、見映えのよい数字又は文字情報を点灯させることにある。
【課題を解決するための手段】
【０００７】
上記目的を達成するために、１つのＬＥＤに対応して抜き孔を複数設け、それぞれの抜き孔からの光の量の差をできるだけ小さくするするようにした。
【０００８】
具体的には、第１の発明では、数字又は文字情報を点灯表示するＬＥＤ表示装置を備える携帯端末を対象とし、このＬＥＤ表示装置は、
上記数字又は文字情報を点灯表示するように配置された複数のＬＥＤと、
上記複数のＬＥＤからの光を通過可能に抜き印刷された透光性シートとを備え、
上記抜き印刷は、上記各ＬＥＤの真上に光を通過する複数の抜き孔を有する透光部をそれぞれ形成するように施され、
上記透光部では、上記ＬＥＤの真上にある中央部の抜き孔の面積は、両端の抜き孔の面積よりも小さく、
上記透光性シートは、該透光性シートと色調が等しくて透光性のあるキャビネットで覆われている構成とする。
【０００９】
上記の構成によると、各ＬＥＤの真上に透光部を設け、この透光部に光を通過させる複数の抜き孔を設けることにより、ＬＥＤの個数を減らすことができる。このため、ＬＥＤ装置が安価になると共に、消費電力が小さくなる。また、１つのＬＥＤに対し、その真上に透光部を設け、この透光部にある中央の抜き孔の面積を、ＬＥＤから若干離れた両端の抜き孔の面積よりも小さくすることで、各抜き孔を通過する光の量の差が小さくなる。また、透光性シートの色調を、この透光性シートを覆うキャビネットの色調と等しくしているので、ＬＥＤ表示装置の非使用時にＬＥＤが見にくくなって見映えがよくなると共に、色調の統一化により、ＬＥＤ点灯時の見映えが格段に向上する。
【００１０】
第２の発明では、第１の発明において、
上記透光部は、１つのＬＥＤに対し３乃至５のいずれかの個数の抜き孔を有している。
【００１１】
上記の構成によると、２つの抜き孔では、ＬＥＤからの距離が等しくなるように配置することで、孔の大きさは同じとすることができるが、３つ以上の抜き孔では両端の抜き孔の面積よりも内側の抜き孔の面積を小さくすることで各抜き孔からの光の量の均一化が図られる。また、６個以上の抜き孔を設けると、抜き孔の大きさが小さくなりすぎ、光量不足となるので適切ではない。
【００１２】
第３の発明では、第１又は第２の発明において、
上記抜き孔の形状は、丸形、楕円形、正方形、長方形及び星形からなる群から選択された形状の模様で構成される。
【００１３】
上記の構成によると、好みのデザインを選択することでユーザの選択の幅が広まり、商品性が向上する。
【００１４】
第４の発明では、第３の発明において、
上記抜き孔は、それぞれ相似形である。
【００１５】
上記の構成によると、相似形であれば、さらに光の量の均一化を図りやすい。
【発明の効果】
【００１６】
以上説明したように、本発明によると、各ＬＥＤの真上に光を通過する複数の抜き孔を有する透光部をそれぞれ形成するように、透光性シートの抜き印刷を施し、透光部のＬＥＤの真上にある中央部の抜き孔の面積を両端の抜き孔の面積よりも小くしたことにより、少ないＬＥＤであっても、各抜き孔からの光の量の差を小さくして、見映えのよい数字又は文字情報を点灯させることができる、安価でバッテリの消耗しにくい携帯端末が得られる。また、透光性シートを覆うキャビネットの色調を透光性シートの色調と等しくしたことにより、ＬＥＤ表示装置の非使用時にＬＥＤが見にくくなって見映えをよくすることができると共に、ＬＥＤ点灯時の見映えを格段に向上させることができる。
【発明を実施するための最良の形態】
【００１７】
以下、本発明の実施形態を図面に基づいて説明する。
【００１８】
図１は、本発明の実施形態にかかる携帯電話機の開いた状態を示す正面図である。図２は、携帯電話機の開いた状態を示す側面図である。図３は携帯電話機の閉じた状態を示す正面図である。図４は携帯電話機の閉じた状態を示す側面図である。
【００１９】
図１乃至図４に示すように、本実施形態の携帯端末としての携帯電話機１は、表示部筐体２と第１の筐体３と第２の筐体５とを有している。表示部筐体２は、第１の筐体３の内部に設けられた支持機構（詳細省略）によって左右回転可能に結合されている。また、第１の筐体３と第２の筐体５とは、ヒンジ部６によって折り畳み可能に結合されている。表示部筐体２の表面側には、ディスプレイ部７と受話部８とが設けられ、表示部筐体２の裏面側には、携帯電話機１を折り畳んだときに露出するように、ＬＥＤ表示装置としてのサブ表示部１０が設けられている。第２の筐体５の表面側には、機能ボタン１１、入力ボタン１２及び送話部１３が設けられている。
【００２０】
図１に示す縦長状態では、メールの送受信、通話、カメラ撮影や画面の小さい状態でのＴＶ映像の視聴等が行われる。図示しないが、表示部筐体２を横長に回転させた横長状態では、ＴＶ映像を大きくして視聴可能となっている。
【００２１】
図５に表示部筐体２の分解図を示す。図６は、表示部筐体２の拡大背面図である。図７は、図６のVII−VII線断面図である。図８に図７のVIII部拡大断面図を示す。
【００２２】
図５に示すように、表示部筐体２は、裏側キャビネット２１と表側キャビネット２８で囲われ、内部にサブ表示部１０が内蔵されている。裏側キャビネット２１は、スモークを着色した透光性のあるＡＢＳ樹脂又はＰＣ−ＡＢＳ樹脂を材料としている。サブ表示部１０は、基板２５に配置した複数のＬＥＤ２６と、光洩れ防止カバー２７と、ＬＥＤ２６からの光を集光するためのホルダー２３と、光を通過させる部分と通過させない部分を分離する透光性シート２２と、裏側キャビネット２１とで構成されている。ホルダー２３は、例えば、ＡＢＳ樹脂よりなり、複数の透光部２４が開口されている。光洩れ防止カバー２７は、例えばスポンジを材料として基板２５とホルダー２３との間に設けられ、密着性をよくして光が洩れるのを防止している。
【００２３】
図８に拡大して示すように、ＬＥＤ２６からの光は、ホルダー２３に施された透光部２４の立ち壁によって集光され、透光性シート２２を通過し、さらに裏側キャビネット２１を通過して外部に出るようになっている。
【００２４】
透光性シート２２は、例えば、ポリエチレンテレフタラート（ＰＥＴ）よりなる。ＰＥＴは、透光性に優れ、リサイクル性もよいので、透光性シート２２として最適である。文字や数字を表現するために、透光性シート２２の光を通過させる部分を文字や数字に形取って裏面より黒印刷（抜き印刷）をしている。裏側キャビネット２１の表面には、例えば、下層から順に透光性のグレー、黒及びクリアー（透明）の三層の塗装が施されている。このように透光性シート２２の色調と透光部２４周辺の裏側キャビネット２１の色調とは等しくなっている。このようにすることで、サブ表示部１０の非使用時にＬＥＤ２６が見にくくなって見映えがよくなると共に、色調の統一化により、ＬＥＤ２６点灯時の見映えが格段に向上する。なお、文字や数字の色調を変えるために、表面の塗装を下層から順に白、ピンク及びクリアー、又は白、白及びクリアーとしてもよい。
【００２５】
図９は、本実施形態にかかる抜き印刷した透光性シート２２の平面図を示す。この透光性シート２２では、１つのＬＥＤ２６に対し３つの円形の抜き孔２９ａ，２９ｂ，２９ａを設け、両端の抜き孔２９ａを同じ面積とし、中央の抜き孔２９ｂを両端の抜き孔２９ａに対し７０％の面積としている。
【００２６】
このように、ＬＥＤ１６の真上にある中央部の抜き孔２９ｂの面積を、ＬＥＤ２６から若干離れた両端の抜き孔２９ａの面積の略７０％にすることで、３つの抜き孔２９ａ，２９ｂ，２９ａからの光の量の均一化を図ることができる。
【００２７】
また、抜き孔２９ａ，２９ｂ，２９ａは、それぞれ相似形となっている。このため、さらに光の量の均一化を図りやすくなっている。
【００２８】
−実施形態の効果−
したがって、本実施形態にかかるサブ表示部１０によると、各ＬＥＤ２６の真上に光を通過する複数の抜き孔２９を有する透光部２４をそれぞれ形成するように透光性シート２２の抜き印刷を施し、透光部２４のＬＥＤ２６の真上にある中央部の抜き孔２９ｂの面積を両端の抜き孔２９ａの面積よりも小くしたことにより、少ないＬＥＤ２６であっても、各抜き孔２９ａ，２９ａからの光の量の差を小さくして、見映えのよい数字又は文字情報を点灯させることができる。また、本実施形態の発明のサブ表示部１０を備えることにより、安価でバッテリの消耗しにくい携帯電話機１が得られる。
【００２９】
−実施形態の変形例１−
図１０は、本発明の実施形態の変形例１にかかる抜き印刷した透光性シートの平面図を示す。この透光性シート２２では、１つのＬＥＤ２６に対し４つの円の抜き孔２９ａ，２９ｂ，２９ｂ，２９ａを設け、両端の抜き孔２９ａを同じ面積とし、中央の抜き孔２９ｂ，２９ｂを両端に対し８０％の面積としている。
【００３０】
ＬＥＤ２６の真上にある中央部の２つの抜き孔２９ｂの面積を、ＬＥＤ２６から若干離れた両端の抜き孔２９ａの面積の略８０％にすることで、４つの抜き孔２９ａ，２９ｂ，２９ｂ，２９ａからの光の量の均一化が図られる。
【００３１】
−実施形態の変形例２−
図１１は、本発明の実施形態の変形例２にかかる抜き印刷した透光性シート２２の平面図を示す。この透光性シート２２では、１つのＬＥＤ２６に対し５つの円の抜き孔２９ａ，２９ｂ，２９ｃ，２９ｂ，２９ａを設け、両端の抜き孔２９ａを同じ面積とし、その内側両隣の抜き孔２９ｂを両端の抜き孔２９ａの８０％の面積とし、中央の抜き孔２９ｃを両端の抜き孔２９ａの７０％の面積としている。
【００３２】
ＬＥＤ２６の真上にある中央部の抜き孔２９ｃの面積を、ＬＥＤ２６から最も離れた両端の抜き孔２９ａの面積の略７０％とし、中央部の抜き孔２９ｃに隣接する抜き孔２９ｂの面積を両端の抜き孔の面積の略８０％とにすることで、５つの抜き孔２９ａ，２９ｂ，２９ｃ，２９ｂ，２９ａからの光の量の均一化が図られる。
【００３３】
以上説明したように、透光部２４は、１つのＬＥＤ２６に対し３乃至５のいずれかの個数の抜き孔２９ａ，２９ｂ，…を有するのが適している。２つの抜き孔２９ａ，２９ａでは、ＬＥＤ２６からの距離が等しくなるように配置することで、抜き孔２９ａ，２９ａの大きさは同じとすることができるが、３つ以上の抜き孔２９ａ，２９ｂ，…では両端の抜き孔２９ａ，２９ａの面積よりも内側の抜き孔２９ｂ，…の面積を小さくすることで各抜き孔２９ａ，２９ｂ，…からの光の量の均一化が図られる。また、６個以上の抜き孔を設けると、抜き孔の大きさが小さくなりすぎ、光量不足となるので適切ではない。
【００３４】
（その他の実施形態）
本発明は、上記実施形態について、以下のような構成としてもよい。
【００３５】
すなわち、上記実施形態では、各透光部２４に同じ数の抜き孔２９ａ，２９ｂ，…を設けているが、異なる位置の透光部２４でそれぞれ異なる数の抜き孔２９ａ，２９ｂ，…を設けてもよい。
【００３６】
上記実施形態では、抜き孔２９ａ，２９ｂ，…の形状は、丸形としたが、楕円形、正方形、長方形又は星形のいずれの形状でもよい。また、異なる位置の透光部２４でそれぞれ異なる形の抜き孔２９ａ，２９ｂ，…を設けてもよい。このように、好みのデザインを選択することでユーザ好みのＬＥＤ表示装置が得られる。
【００３７】
上記実施形態では、携帯端末は、携帯電話機としたが、ＰＨＳ、ＰＤＡ、ＰＣ、モバイルツール、電子辞書、電卓、複写機等であってもよい。
【００３８】
なお、以上の実施形態は、本質的に好ましい例示であって、本発明、その適用物や用途の範囲を制限することを意図するものではない。
【図面の簡単な説明】
【００３９】
【図１】本発明の実施形態にかかる携帯電話機の開いた状態を示す正面図である。
【図２】携帯電話機の開いた状態を示す側面図である。
【図３】携帯電話機の閉じた状態を示す正面図である。
【図４】携帯電話機の閉じた状態を示す側面図である。
【図５】表示部筐体の分解図である。
【図６】表示部筐体の拡大背面図である。
【図７】図６のVII−VII線断面図である。
【図８】図７のVIII部拡大断面図である。
【図９】抜き印刷した透光性シートの平面図を示す。
【図１０】実施形態の変形例１にかかる抜き印刷した透光性シートの平面図を示す。
【図１１】実施形態の変形例２にかかる抜き印刷した透光性シートの平面図を示す。
【符号の説明】
【００４０】
１      携帯電話機（携帯端末）
１０      サブ表示部（ＬＥＤ表示装置）
２１      裏側キャビネット（キャビネット）
２２      透光性シート
２４      透光部
２６      ＬＥＤ
２９ａ，２９ｂ，…      抜き孔
【図１】
0005186175.tif 000002
【図２】
0005186175.tif 000003
【図３】
0005186175.tif 000004
【図４】
0005186175.tif 000005
【図５】
0005186175.tif 000006
【図６】
0005186175.tif 000007
【図７】
0005186175.tif 000008
【図８】
0005186175.tif 000009
【図９】
0005186175.tif 000010
【図１０】
0005186175.tif 000011
【図１１】
0005186175.tif 000012